(57)【要約】【課題】中央システムにおいて、旅客案内端末で設定変更した案内出力制御用設定情報を自動的に、リアルタイムに退避し、一元管理するシステムを提供することを目的とする。【解決手段】中央サーバ８と中央端末２で構成される中央システム１と、中央システム１と通信可能な旅客案内装置１３と旅客案内端末１６で構成される駅システム１０において、旅客案内端末１６から変更した案内出力制御用設定情報を受信した旅客案内装置１３が、当該情報を中央サーバ８に自動的に送信する機能を有し、中央サーバ８は、旅客案内装置１３から受信した案内出力制御用設定情報を格納部に駅毎に格納する。また、中央端末２は中央サーバ８から案内出力制御用設定情報を受信し、外部記憶媒体に出力可能である。これにより、上記課題を解決する。【選択図】図１
2014136471.tif 000002
【特許請求の範囲】
【請求項１】
運行管理装置から列車のダイヤ情報を受信し、在線情報装置から列車の在線位置情報を受信する中央サーバと、
列車のダイヤ情報と在線位置情報を中央サーバから受信しモニタ可能な中央端末を備えた中央システムと、
前記中央サーバからネットワークを介して受信した列車のダイヤ情報及び在線位置情報、連動装置から受信した信号設備情報、及び旅客案内装置に格納している案内出力制御用設定情報に基づいて、駅構内の乗客に音声または表示により案内情報を出力する旅客案内装置と、
乗客に対する案内状況や駅設備状態をモニタ可能で、案内出力制御用設定情報を設定変更できる旅客案内端末を備えた駅システムにおいて、
前記旅客案内端末から案内出力制御用設定情報を設定変更時、設定したデータを前記旅客案内端末から受信し、前記旅客案内装置の格納部に記録し、前記中央サーバに変更データを送信することを特徴とする旅客案内装置。
【請求項２】
請求項１に記載の旅客案内装置において、
前記中央システムは、前記旅客案内装置からの案内出力制御用設定情報受信時、駅毎にエリアを分けた格納部に、受信した案内出力制御用設定情報を記録することを特徴とする旅客案内装置。
【請求項３】
請求項２に記載の旅客案内装置において、
前記中央サーバから案内出力制御用設定情報を受信し、駅毎にモニタ及び外部記憶媒体に出力することを特徴とする旅客案内装置。
【発明の詳細な説明】
【技術分野】
【０００１】
本発明は、駅システムの設定データを自動的に収集する中央システムを備えた旅客案内装置に関するものである。
【背景技術】
【０００２】
旅客案内装置は、列車のダイヤ情報及び在線位置情報を把握する中央システムから、ネットワークを介して受信した列車のダイヤ情報及び在線位置情報、旅客案内装置に格納している案内出力制御用設定情報に基づいて、駅構内の乗客に音声または表示により案内情報を出力する。このような従来技術は、例えば特許文献１に記載されている。
【０００３】
従来、駅で自動放送を行う放送装置及び案内表示を行う表示装置に対して送信する出力用データの出力を制御する旅客案内装置は、制御用プログラムや、案内出力制御用設定情報が初期値で格納された状態で出荷される。当該情報は、駅に設置してある旅客案内端末で設定変更が可能である。
【０００４】
当該情報は、例えば列車のダイヤ情報や案内放送及び案内表示のタイミングや、放送用の音声データや表示用の文字データ等の出力用データ等が該当する。旅客案内装置は、制御用プログラムに従って所定のタイミングになると設定されていた文字データを表示装置の電子表示板に表示させ、また、音声データを放送装置のスピーカから出力させる。
【０００５】
ここで、旅客案内装置が故障し交換する場合には、旅客案内端末で設定変更した案内出力制御用設定情報を取得できないため、当該情報が初期値の状態で交換していた。
【０００６】
また、旅客案内装置が故障する場合を考え、旅客案内端末で設定変更した案内出力制御用設定情報を事前に退避する場合、当該情報を退避する駅に出向き、旅客案内端末等から情報を取得していた。このような従来技術は、例えば特許文献２に記載されている。
【先行技術文献】
【特許文献】
【０００７】
【特許文献１】特開２０１２−４６０６８号公報
【特許文献２】特開２００２−１８２６３０号公報
【発明の概要】
【発明が解決しようとする課題】
【０００８】
このように、旅客案内装置が故障した場合は、案内出力制御用設定情報が初期値となる問題点があった。また、旅客案内端末から設定変更した当該情報を復元するために事前に旅客案内端末で当該情報を退避する場合は、各駅に出向き情報を取得する必要があり、経費がかかる上、リアルタイムに取得できない問題点があった。
【０００９】
本発明は、上記に鑑みてなされたものであり、その目的とするところは、中央システムにおいて、旅客案内端末で設定変更した案内出力制御用設定情報を自動的に、リアルタイムに退避し、一元管理するシステムを提供することにある。これにより、旅客案内装置故障時、当該情報が最新の状態で復旧することが可能となる。
【課題を解決するための手段】
【００１０】
上記目的を達成するため、本発明の中央システムによる駅の設定データ自動収集機能を備えた旅客案内装置は、コンピュータを有する中央システムと、前記中央システムと通信可能なコンピュータを有する駅システムとを有し、前記駅システムは、旅客案内端末から変更した案内出力制御用設定情報を受信した旅客案内装置が、当該データを中央システムに自動的に送信する機能を有し、前記中央システムは、前記旅客案内装置から受信した当該情報を格納部に駅毎に格納し、また外部記憶媒体に出力できることを特徴とする。
【発明の効果】
【００１１】
本発明によれば、旅客案内端末で設定変更した案内出力制御用設定情報を設定変更したタイミングで、自動的に中央システムの中央サーバに退避することができ、旅客案内装置が故障した場合でも、最新の情報を用いて復旧することができる利点がある。また、当該情報の管理を、中央システムで一元管理できる利点がある。
【図面の簡単な説明】
【００１２】
【図１】本発明の旅客案内装置の中央システムによる駅の設定データ自動収集機能の一実施形態を示す構成図である。
【図２】旅客案内装置の内部構成を示す機能ブロック図である。
【図３】中央システムの内部構成を示す機能ブロック図である。
【図４】本発明における旅客案内装置が中央サーバに変更した案内出力制御用設定情報を送信するための論理を示したフローチャートである。
【図５】本発明における中央サーバが変更した案内出力制御用設定情報を退避するための論理を示したフローチャートである。
【発明を実施するための形態】
【００１３】
図１は、本発明の旅客案内装置の中央システムによる駅の設定データ自動収集機能の一実施形態を示す構成図である。中央システム１はそれぞれ構成する装置を中央ネットワーク回線７により接続され、中央システム１は中央に設置される。また駅システム１０はそれぞれ構成する装置を駅ネットワーク回線１１により接続され各駅に設置される。
【００１４】
中央システム１、及び駅システム１０は、通信回線９により接続される。データ通信のプロトコルとしては、例えば、インターネットに用いられているＴＣＰ／ＩＰ（Transmission Control Protocol/Internet Protocol）等を用いる。中央ネットワーク回線７、駅ネットワーク回線１１及び通信回線９は、快適な環境とするために専用の通信回線としても、システムの構築コストを低減するため無線ＬＡＮ等による公衆回線を用いるようにしてもよい。
【００１５】
中央サーバ８、中央端末２、旅客案内装置１３、旅客案内端末１６は、コンピュータシステムにより構成され、後述する内部の機能は、プログラム言語によるソフトウェアにより実現される。
【００１６】
もちろん、中央サーバ８、中央端末２、旅客案内装置１３及び旅客案内端末１６を専用のハードウェアにより構成することにしてもよい。また、中央端末２には操作用のキーボード等入力装置４が接続される。また、旅客案内端末１６には操作用のキーボード等入力装置１８が接続される。
【００１７】
さらに、中央端末２には中央サーバ８から受信する列車の在線位置情報やダイヤ情報や各駅の設備状態を監視するモニタ３が接続される。また旅客案内端末１６には放送装置１４による放送、表示装置１５による表示等の案内状況及び設備の状態を監視するモニタ１７が接続される。また旅客案内端末１６から、放送装置１４に音声データを送信するタイミング、表示装置１５に文字データを送信するタイミング、例えば停車駅案内をするかしないか等の案内出力制御用設定情報を設定することができる。
【００１８】
旅客案内装置１３には、案内出力制御用設定情報を格納している。
中央サーバ８は、運行管理装置５から前日、当日、翌日の列車のダイヤ情報を受信し、旅客案内装置１３に配信する。また、中央サーバ８は、在線情報装置６から、列車の在線位置情報を受信し、旅客案内装置１３に配信する。
【００１９】
旅客案内装置１３は、中央サーバ８からの列車のダイヤ情報及び在線位置情報、連動装置１２からの信号機の現示状態及び軌道回路の落下扛上等の信号設備情報、案内出力制御用設定情報により、所定のタイミング及び内容で、音声データを放送装置１４に送信し案内放送を出力させ、文字データを表示装置１５に送信し案内表示を表示させる。
【００２０】
ここで、放送装置１４に音声データを格納し、旅客案内装置１３からコマンドの送信で放送させることにしてもよい。また表示装置１５に文字データを格納し、旅客案内装置１３からコマンドの送信で表示させることにしてもよい。
【００２１】
図２は、駅システム１０の内部構成を示す機能ブロック図である。駅システム１０は旅客案内装置１３と、旅客案内端末１６とを有する構成である。また、旅客案内装置１３は、制御部１０１と、格納部１０２とを有する構成である。また、旅客案内端末１６は、制御部１０３を有する構成である。
【００２２】
格納部１０２には、放送装置１４、表示装置１５による出力を制御するための制御用プログラム、および、前日、当日、翌日の列車のダイヤ情報や、案内出力制御用設定情報が格納される。
【００２３】
制御部１０１は、制御用プログラムに従って各部を制御する。所定のタイミングになると格納部１０２から所定の音声データを読み出し放送装置１４に送り、所定の文字データを読出し表示装置１５に送る。また、旅客案内端末１６の入力装置１８から制御用プログラムや案内出力制御用設定情報、制御用プログラムの実行状態や実行結果等を表示する操作により上記情報をモニタ１７に表示することが可能である。
【００２４】
旅客案内端末１６の入力装置１８から、案内出力制御用設定情報の変更を行った場合、旅客案内端末１６の制御部１０３から旅客案内装置１３の制御部１０１に当該情報を送信し、制御部１０１が格納部１０２に当該情報を格納する。また、制御部１０１は、後述する処理により、変更された案内出力制御用設定情報を中央システム１に送信する。
【００２５】
図３は、中央システム１の内部構成を示す機能ブロック図である。中央システム１は、中央サーバ８、中央端末２を有する構成である。また、中央サーバ８は、制御部２０１と、格納部２０２とを有する構成である。また、中央端末２は制御部２０３を有する構成である。
【００２６】
格納部２０２には、前日、当日、翌日のダイヤ情報や、案内出力制御用設定情報が格納される。制御部２０１は、制御用プログラムに従って各部を制御する。制御部２０１は運行管理装置５から前日、当日、翌日のダイヤ情報受信し、格納部２０２に格納する。また制御部２０１は、在線情報装置６から在線位置情報を受信し、格納部２０２に格納する。
【００２７】
制御部２０１は、駅システム１０から変更された案内出力制御用設定情報を受信し、格納部２０２に駅毎に格納する。中央端末２の入力装置４から、上記ダイヤ情報、在線位置情報及び案内出力制御用設定情報等を表示する操作により、上記情報をモニタ３に表示することが可能である。
【００２８】
また、中央端末２の入力装置４から、案内出力制御用設定情報を取得する操作により、当該情報を取得することが可能である。取得先は、中央端末２のハードディスクとしても、外部記憶媒体としてもよい。
【００２９】
図４は、旅客案内装置１３において、旅客案内端末１６から案内出力制御用設定情報を変更した場合に、中央システム１に変更した当該情報を送信するまでのフローチャートである。以下、処理の流れに沿って詳細を示す。
【００３０】
まず、旅客案内端末１６から案内出力制御用設定情報を変更した場合、旅客案内端末１６から当該情報を旅客案内装置１３に送信する。
【００３１】
ステップＳ３０１において、旅客案内端末１６から当該情報を受信したかを判定する。受信していない場合、再度ステップＳ３０１の判定を行う。当該情報を受信した場合は、ステップＳ３０２により設定変更通知を送信する。ステップＳ３０２による設定変更通知送信後、ステップＳ３０３において、中央サーバ８から設定変更受信応答を受信したかを判定する。設定変更通知異常応答又は応答無しの場合は、ステップＳ３０４により中央サーバ８を応答無しとし、ステップＳ３０５により、中央サーバ８から変更通知異常応答又は応答無しがｎ回発生したかを判定する。
【００３２】
本実施例においては、ｎを３としているが、この値は任意に設定できる。３回発生している場合は、中央サーバ８が故障であると判断し、ステップＳ３０６により旅客案内端末１６に中央サーバ８故障を報知し、再度ステップＳ３０１の判定を行う。
【００３３】
３回発生していない場合は、再びステップＳ３０２により設定変更通知を送信する。
中央サーバ８から設定変更受信正常応答を受信した場合は、中央サーバ８に変更した案内出力制御用設定情報を送信する。当該情報送信後、再度ステップＳ３０１の判定を行う。
【００３４】
図５は、ステップＳ３０２において、中央サーバ８が設定変更通知を受信後、格納部２０２に、案内出力制御用設定情報を格納するまでのフローチャートである。
ステップＳ４０１において、旅客案内装置１３から設定変更通知を受信したかを判定する。受信していない場合、再度ステップＳ４０１の判定を行う。
【００３５】
当該通知を受信した場合、設定変更受信正常応答を旅客案内装置１３に送信し、ステップＳ４０３により旅客案内装置１３から案内出力制御用設定情報を受信したかを判定する。当該情報を受信していない場合は、ステップＳ４０４により旅客案内装置１３を応答無しとし、ステップＳ４０５により旅客案内装置１３から当該情報受信無しがｎ回発生したかを判定する。
【００３６】
本実施例においては、ｎを３としているが、この値は任意に設定できる。３回発生している場合は、旅客案内装置１３が故障であると判断し、ステップＳ４０６により中央端末２に旅客案内装置１３故障を報知し、再度ステップＳ４０１の判定を行う。
【００３７】
３回発生していない場合は、再びステップＳ４０３の判定を行う。
ステップＳ４０３により、旅客案内装置１３から案内出力制御用設定情報を受信した場合は、ステップＳ４０７により当該情報が正常であるかを判定する。当該情報が異常である場合は、旅客案内装置１３が故障であると判断し、ステップＳ４０６により中央端末２に旅客案内装置１３故障を報知し、再度ステップＳ４０１の判定を行う。
【００３８】
当該情報が正常である場合は、ステップＳ４０８により受信した案内出力制御用設定情報を中央サーバの格納部２０２に駅毎に格納する。
【００３９】
本発明は以上のように、旅客案内端末で設定変更した案内出力制御用設定情報を設定変更したタイミングで、自動的に中央システムの中央サーバに退避することができ、旅客案内装置が故障した場合でも、最新の情報を用いて復旧することができる利点がある。また、当該情報の管理を、中央システムで一元管理できる利点がある。
【符号の説明】
【００４０】
１  中央システム
２  中央端末
３  モニタ
４  入力装置
５  運行管理装置
６  在線情報装置
７  中央ネットワーク回線
８  中央サーバ
９  通信回線
１０  駅システム
１１  駅ネットワーク回線
１２  連動装置
１３  旅客案内装置
１４  放送装置
１５  表示装置
１６  旅客案内端末
１７  モニタ
１８  入力装置
１０１  制御部
１０２  格納部
１０３  制御部
２０１  制御部
２０２  格納部
２０３  制御部
【図１】
2014136471.tif 000003
【図２】
2014136471.tif 000004
【図３】
2014136471.tif 000005
【図４】
2014136471.tif 000006
【図５】
2014136471.tif 000007